(57)【要約】      （修正有）【課題】通常運転時にロープが綱車から脱落することが防止できるとともに非常時に綱車を手動で回転することができるエレベーター用巻上機を提供する。【解決手段】巻上機本体１０と、綱車５０と、装着部６１と、装着部がロープ外れ止め用の取付部に取付けられた場合にはロープ溝５１と隙間を有して配置され、ハンドル用の取付部５４に取付けられた場合には回転軸方向であって綱車の回転中心の外側に配置される延在部６２とを有する装着部材６０とを備えた。【選択図】図５
2011016603.tif 000002
【特許請求の範囲】
【請求項１】
モータが内蔵され、該モータの回転軸が外側へ突出される側板を有し、該側板の外側面にロープ外れ止め用の取付部が設けられる巻上機本体と、
円柱形であって上記回転軸に固定され、円柱面にロープが巻き掛けられるロープ溝部を設けられ、一端面は上記巻上機本体の外側面と対向するとともに他端面にはハンドル用の取付部が設けられる綱車と、
上記ロープ外れ止め用の取付部及びハンドル用の取付部に取付け可能である装着部と、該装着部から延在し、上記装着部が上記ロープ外れ止め用の取付部に取付けられた場合には上記ロープ溝と隙間を有して配置され、上記ハンドル用の取付部に取付けられた場合には回転軸方向であって上記綱車の回転中心の外側に配置される延在部とを有する装着部材と
を備えたことを特徴とするエレベーター用巻上機。
【請求項２】
上記ハンドル用の取付部は、上記ハンドル用の取付部が設けられた上記綱車の他端面の円周縁に沿って複数個が設けられることを特徴とする請求項１記載のエレベーター用巻上機。
【請求項３】
上記装着部材は、上記延在部が上記綱車の半径方向の外側に向かう状態で上記ハンドル用の取付部に取付けられることを特徴とする請求項１又は請求項２記載のエレベーター用巻上機。
【請求項４】
上記綱車の他端面には、上記装着部材の装着部が嵌め込まれる溝が設けられることを特徴とする請求項１乃至請求項３いずれかの記載のエレベーター用巻上機。
【請求項５】
上記溝は、上記綱車の半径方向に向かうように設けられることを特徴とする請求項４記載のエレベーター用巻上機。
【請求項６】
モータが内蔵され、該モータの回転軸が外側へ突出される側板を有する巻上機本体と、上記回転軸に固定される綱車とを備えたエレベーター用巻上機において、
上記巻上機の側板及び綱車に取付け可能な装着部と該装着部が取付けられる地点である固定点Aから距離a離れた位置で略垂直に延在する延在部からなる略L字型の装着部材を有し、
上記綱車は、半径ｂの円柱形であって、円柱面には径ｃのロープが巻き掛けられるロープ溝部が設けられ、一端面は上記巻上機本体の側板と対向し、かつ他端面には円柱の中心から距離a以上離れた位置に上記装着部材の固定点Aが配置されるように上記装着部材が取付け可能なハンドル用の取付部が設けられ、
上記巻上機本体は、上記綱車の一端面と対向する上記側板の外側面を有し、該外側面上に上記装着部材の延在部が上記回転軸の半径方向上に上記回転軸の中心に向かって上記装着部材の装着部が取付け可能なロープ外れ止め用の取付部が設けられ、上記ロープ外れ止め用の取付部には上記回転軸の半径方向に沿って上記回転軸の中心より距離(a+ｂ)から(a＋ｂ＋75/100・ｃ)の範囲に上記装着部材の固定点Aが配置されるように上記装着部材の装着部が取付けられる
ことを特徴とするエレベーター用巻上機。
【請求項７】
モータが内蔵され、該モータの回転軸が外側へ突出される側板を有する巻上機本体と、
円柱形であって上記回転軸に固定され、円柱面にロープが巻き掛けられるロープ溝部を有し、一端面は上記巻上機本体の側板と対向し、他端面には円周縁に沿って複数個のハンドル用の取付部が設けられる綱車と
を備えたことを特徴とするエレベーター用巻上機。
【請求項８】
上記ハンドル用の取付部に取付け可能である装着部と、該装着部から延在し、上記ハンドル用の取付部に取付けられた場合上記回転軸方向であって上記綱車の回転中心の外側に配置される延在部とを有する装着部材をさらに備えたことを特徴とする請求項７記載のエレベーター用巻上機。
【請求項９】
上記ハンドル用の取付部が設けられた上記綱車の他端面には、上記装着部材の装着部が嵌め込まれる溝が設けられることを特徴とする請求項８記載のエレベーター用巻上機。
【請求項１０】
上記巻上機の側板において、上記綱車の一端面と対向する面には上記装着部材の装着部が取付けられるロープ外れ止め用の取付部が設けられ、上記装着部材の装着部が該ロープ外れ止め用の取付部に取付けられる場合には上記延在部が上記ロープ溝と隙間を有して配置されることを特徴とする請求項８又は請求項９記載のエレベーター用巻上機。
【発明の詳細な説明】
【技術分野】
【０００１】
本発明は、エレベーター用巻上機に関するものである。特に、通常運転時にロープが綱車から脱落することが防止できるとともに、別途の手巻きハンドルを用意しなくても非常時に綱車を手動で回転することができるエレベーター用巻上機に関するものである。
【背景技術】
【０００２】
従来エレベーター用巻上機においては、通常運転時にロープが綱車から脱落することを防止するために、綱車に巻き掛けられたロープの近傍にロープ外れ止めが設けられている(特許文献１参照)。具体的に、特許文献１には、綱車においてロープの巻き掛けた部分の外方に適当の隙間を置き、巻上機の固定部に取付けられたロープ押さえが開示されている。このロープ押さえは、ロープの振動によりロープが浮き上がることを押さえてロープが綱車から脱落することを防止する。
【０００３】
また、従来エレベーター用巻上機においては、停電等によりエレベーターが階間に停止し、乗客がかご内に閉じ込められてしまう非常時に、巻上機を手動で回転してかごを最寄りの階まで昇降させて乗客を救出する必要がある。特許文献２には、このような非常時に巻上機を手動で回転するための手巻きハンドルが開示されている。具体的に特許文献２の手巻きハンドルは、綱車を駆動する電動機の軸端部に差し込まれる受け口と、手で把持することができる把持部とを備えている(特許文献２の図９及び[０００５]段落参照)。非常時、別途に用意しておいた手巻きハンドルを使用して手動で綱車を回転させる。具体的には、手巻きハンドルの受け口を電動機の軸端部に差し込み、手で把持部を把持して電動機の軸を回転させることで綱車を回転させる。
【先行技術文献】
【特許文献】
【０００４】
【特許文献１】実開昭51−99366
【特許文献２】特開2000−351548
【発明の概要】
【発明が解決しようとする課題】
【０００５】
このような従来のエレベーター用巻上機は、非常時にかごを昇降して最寄りの階まで昇降させるための手巻きハンドルを別途に用意しておく必要があり、そのためコストが増加する問題があった。
また、従来のエレベーター用巻上機の手巻きハンドルは、電動機の軸に差し込まれて軸を回転するので回転半径が小さくなって軸を回転するためには大きい力が必要になる問題があり、また回転半径を大きくすると手巻きハンドル自体が大きくなってしまうので保管上の問題があった。上記の課題を解決するために、本発明は通常運転時にロープが綱車から脱落することが防止できるとともに、別途の手巻きハンドルを用意しなくても非常時に綱車を手動で回転することができるエレベーター用巻上機を提供することを目的とする。
また、本発明は、非常時により小さな力で綱車を手動で回転することができるエレベーター用巻上機を提供することを目的とする。
【課題を解決するための手段】
【０００６】
上記の目的を達成するために、本発明に係るエレベーター用巻上機は、モータが内蔵され、該モータの回転軸が外側へ突出される側板を有し、該側板の外側面にロープ外れ止め用の取付部が設けられる巻上機本体と、
円柱形であって上記回転軸に固定され、円柱面にロープが巻き掛けられるロープ溝部を設けられ、一端面は上記巻上機本体の外側面と対向するとともに他端面にはハンドル用の取付部が設けられる綱車と、
上記ロープ外れ止め用の取付部及びハンドル用の取付部に取付け可能である装着部と、該装着部から延在し、上記装着部が上記ロープ外れ止め用の取付部に取付けられた場合には上記ロープ溝と隙間を有して配置され、上記ハンドル用の取付部に取付けられた場合には回転軸方向であって上記綱車の回転中心の外側に配置される延在部とを有する装着部材と
を備えたことを特徴とする。
【０００７】
また、本発明に係るエレベーター用巻上機において、上記ハンドル用の取付部は、上記ハンドル用の取付部が設けられた上記綱車の端面の円周縁に沿って複数個が設けられることを特徴とする。
【０００８】
また、本発明に係るエレベーター用巻上機において、上記装着部材は、上記延在部が上記綱車の半径方向の外側に向かう状態で上記ハンドル用の取付部に取付けられることを特徴とする。
【０００９】
また、本発明に係るエレベーター用巻上機において、上記綱車の他端面には、上記装着部材の装着部が嵌め込まれる溝が設けられることを特徴とすることを特徴とする。
【００１０】
また、本発明に係るエレベーター用巻上機において、上記溝は、上記綱車の半径方向に向かうように設けられることを特徴とする。
【００１１】
また、本発明に係るエレベーター用巻上機は、モータが内蔵され、該モータの回転軸が外側へ突出される側板を有する巻上機本体と、上記回転軸に固定される綱車とを備えたエレベーター用巻上機において、
上記巻上機の側板及び綱車に取付け可能な装着部と該装着部が取付けられる地点である固定点Aから距離a離れた位置で略垂直に延在する延在部からなる略L字型の装着部材を有し、
上記綱車は、半径ｂの円柱形であって、円柱面には径ｃのロープが巻き掛けられるロープ溝部が設けられ、一端面は上記巻上機本体の側板と対向し、かつ他端面には円柱の中心から距離a以上離れた位置に上記装着部材の固定点Aが配置されるように上記装着部材が取付け可能なハンドル用の取付部が設けられ、
上記巻上機本体は、上記綱車の一端面と対向する上記側板の外側面を有し、該外側面上に上記装着部材の延在部が上記回転軸の半径方向上に上記回転軸の中心に向かって上記装着部材の装着部が取付け可能なロープ外れ止め用の取付部が設けられ、上記ロープ外れ止め用の取付部には上記回転軸の半径方向に沿って上記回転軸の中心より距離(a+ｂ)から(a＋ｂ＋75/100・ｃ)の範囲に上記装着部材の固定点Aが配置されるように上記装着部材の装着部が取付けられることを特徴とする。
【００１２】
また、本発明に係るエレベーター用巻上機は、モータが内蔵され、該モータの回転軸が外側へ突出される側板を有する巻上機本体と、円柱形であって上記回転軸に固定され、円柱面にロープが巻き掛けられるロープ溝部を有し、一端面は上記巻上機本体の側板と対向し、他端面には円周縁に沿って複数個のハンドル用の取付部が設けられる綱車とを備えたことを特徴とする。
【００１３】
また、本発明に係るエレベーター用巻上機において、上記ハンドル用の取付部に取付け可能である装着部と、該装着部から延在し、上記ハンドル用の取付部に取付けられた場合上記回転軸方向であって上記綱車の回転中心の外側に配置される延在部とを有する装着部材をさらに備えたことを特徴とする。
【００１４】
また、本発明に係るエレベーター用巻上機において、上記ハンドル用の取付部が設けられた上記綱車の他端面には、上記装着部材の装着部が嵌め込まれる溝が設けられることを特徴とする。
また、本発明に係るエレベーター用巻上機において、上記巻上機の側板において、上記綱車の一端面と対向する面には上記装着部材の装着部が取付けられるロープ外れ止め用の取付部が設けられ、上記装着部材の装着部が該ロープ外れ止め用の取付部に取付けられる場合には上記延在部が上記ロープ溝と隙間を有して配置されることを特徴とする。
【発明の効果】
【００１５】
本発明に備えられる装着部材は、通常運転時には巻上機本体に取付けられてロープが綱車から脱落するのを防止するが、非常時には巻上機本体から取り外されて綱車に取付けられることができる。非常時に作業者は、綱車に取付けられている装着部材を把持して綱車を回転させることができ、かごを最寄り階に移動させることができる。これにより、本発明は非常時に綱車を受動で回転させるために別途の手巻ハンドルを用意して置く必要がないからコストを削減することができる。
また、本発明に備えられる装着部材は、非常時、綱車に取付けられる。これにより、綱車の半径を回転半径に利用することができ、より小さな力でも綱車を回転させることができる。
【図面の簡単な説明】
【００１６】
【図１】本発明に係るエレベーター用巻上機の構成を示す図である。
【図２】本発明に係るエレベーター用巻上機の通常運転時の状態を説明する図であって、(a)は側面図、(b)は正面図である。
【図３】本発明に係るエレベーター用巻上機の装着部材を示す図である。
【図４】図２(b)のA-A断面図
【図５】本発明に係るエレベーター用巻上機の非常時の状態を説明する図であって、(a)は側面図、(b)は正面図である。
【図６】図５(b)のB-B断面図
【発明を実施するための形態】
【００１７】
以下、本発明の具体的な実施の形態に対して添付された図を参照して詳細に説明する。
実施の形態
図１において、１０は巻上機本体、２０はエレベーターかご、３０は釣り合い錘、４０はソラセ車、５０は綱車、６０は装着部材を示す。綱車５０は巻上機本体２０に内装されているモータ(図示せず)により回転される。綱車５０に巻き掛けられているロープ５５は、一端はエレベーターかご２０に連結されており、また他端はソラセ車４０を介して釣り合い錘３０に連結されている。このような構成を有するエレベーター用巻上機は、綱車５０をモータにより回転させることで、エレベーターかご２０を昇降させることができる。
【００１８】
図２を参照にすると、巻上機本体１０に内装されているモータの回転軸１２は、巻上機本体１０の側板１３から外部へ突出し、この突出した部分に綱車５０が固定される。綱車５０は、円柱形であって、この一端面５２は巻上機本体１０の側板１３(具体的には、側板１３の外側面１３a)に対向する。また、綱車５０は、図３に示したように円柱面にロープ５５が巻き掛けられる溝５１aが設けられているロープ溝部５１を有する。
【００１９】
図３及び図４を参照にすると、装着部材６０は略L字形であって、穴６３が設けられる装着部６１と、装着部６１から略垂直に延在する延在部６２からなる。本実施の形態では、装着部６１は四角形であって、延在部６２は棒形であるが、形状はこれに限ることではなく多様に変更することができる。また、穴６３は、物に対して装着部材６０を取付けるためにボルトなどの締結手段７０が通過するためのである。穴６３は、設計に従って装着部６１に複数設けられることができ、この場合より固く装着部材６０を物に取付けることができる。
【００２０】
装着部材６０は、図２と図５に示したように巻上機本体１０と綱車５０に取付けられることができる。巻上機本体１０に取付けられる場合には、装着部材６０はロープ５５が綱車５０から脱落することを防止するロープ外れ止めとして作用し、綱車５０に取付けられる場合には、装着部材６０は綱車５０を手動で回転するハンドルとして作用する。このために、巻上機本体１０の側板１３(具体的には、側板１３の外側面１３a)には装着部材６０の装着部６１が取付けられるロープ外れ止め用の取付部１４が設けられており、また、綱車５０において巻上機本体１０の側板１３に対向する一端面の反対面である他端面には装着部材６０の装着部６１が取付けられるハンドル用の取付部５４が設けられている。
【００２１】
本実施の形態において、ロープ外れ止め用の取付部１４は、ボルトなどが締結されることができるネジ穴であって、図３に示したように巻上機１０の側板１３(具体的には、側板１３の外側面１３a)に設けられる。ロープ外れ止め用の取付部１４は複数個設けられることもできる。装着部材６０がロープ外れ止め用の取付部１４に取付けられる場合、延在部６２は綱車５０のロープ溝部５１を覆う程度の長さを有するのが好ましい。また、延在部６２は綱車５０のロープ溝部と隙間Dを有するように配置される。このとき、隙間Dはロープの径を考慮して決定される。例えば、図３のようにロープの径がｃである場合、隙間Dを75/100・ｃの以下になるように延在部を設置すると通常運転時ロープが綱車５０から脱落されない。
【００２２】
また、ロープ外れ止め用の取付部１４が設けられる位置は、延在部６２とロープ溝部５１との隙間Dを考慮して決定される。例えば、図３及び図４に示したように装着部材６０の穴６３の中心(ボルトにより装着部材６０が取付けられるとき、固定中心になる)である固定点Aから延在部６２(具体的には、延在部６２おいて綱車５０のロープ溝部５１と対向する地点)までの距離をaとし、綱車５０の両端面の半径をbとし、またロープの径をcとした場合、延在部６２とロープ溝部５１との隙間Dを考慮すると固定点Aは巻上機本体１０の側板１３において回転軸１２の中心より距離(a+ｂ)から(a＋ｂ＋75/100・ｃ)の範囲に配置される。従って、固定点Aの位置にロープ外れ止め用の取付部１４であるネジ穴の中心が設けられることが好ましい。
【００２３】
図４及び図５を参照にすると、ハンドル用の取付部５４は綱車５０の他端面５３に設けられる。具体的には、綱車５０の他端面５３にはハンドル用の取付部５４としてボルトなどの締結手段７０が締結されるネジ穴が設けられる。この締結手段７０により装着部材６０の装着部６１が綱車５０の他端面５３に取付けられる。また、装着部材６０は、図５(a)のように回転軸１２の突出する方向に延在部６２が配置されるようにハンドル用の取付部５４に取付けられる。この状態で、作業者は装着部材６０の延在部６２を把持して綱車５０を回転することができる。
【００２４】
また、延在部６２が綱車５０の回転中心(円柱の中心)線上に配置されると綱車５０を回転することができないので、延在部６２は綱車５０の回転中心の外側に配置されるのが好ましい。例えば、上述したように装着部材６０の固定点Aから延在部６２までの距離をaとし、また、図３のように綱車５０の両端面の半径をbとした場合(但し、a<b)、固定点Aは綱車５０の回転中心から距離a以上離れた位置に配置されると延在部６２は綱車５０の回転中心線上には配置されない。従って、ハンドル用の取付部５４であるネジ穴の中心は綱車５０の他端面において綱車５０の回転中心(円柱の中心)から距離a以上離れた位置に設けられるのが好ましい。
【００２５】
また、延在部６２が綱車５０の半径方向の外側に向かう状態で装着部材６０はハンドル用の取付部５４に取付けられる。また、図５のようにハンドル用の取付部５４が綱車５０の他端面５３において円周縁に設けられ、延在部６２が綱車５０の半径方向の外側に向かう状態で装着部材６０がこのハンドル用の取付部５４に取付けられる場合、綱車５０の回転半径は最大になり、より小さな力でも綱車５０を回転することができる。即ち、これにより、綱車５０の半径を、綱車５０を回転するための回転半径に利用することができ、従来手巻きハンドルをモータの回転軸に取付けられることと比べて、綱車５０の半径分だけ回転半径が大きくなる。
【００２６】
図５と図６のように、綱車５０の他端面５３には、装着部材６０の装着部６１が部分的に嵌め込まれる溝５４aが設けられる。この溝５４aに装着部６１が嵌め込まれることで装着部材６０が綱車５０に対して回転することなく、強固に綱車５０の他端面５３に固定されることができる。図６においては、溝５４aとハンドル用の取付部５４とが同じ位置にもうけられているが、装着部材６０がハンドル用の取付部５４に取付けられるとともに溝５４aにはめ込まれることができれば、必ず同じ位置ではなくても良い。
【００２７】
また、図５のように溝５４aは、綱車の半径方向に向かうように形成される。これにより、溝５４aに嵌め込まれた装着部材６０の延在部６２を手で把持して綱車５０を回転する場合、回転する力が綱車５０の円周と接線方向に加えられることになり、この結果、加えた力の全部を回転するために使うことができる。
【００２８】
また、図５のように、綱車５０の他端面５３には、円周縁に沿って等間隔に複数個のハンドル用の取付部５４が設けられる。これにより、作業者は、複数個のハンドル用の取付部５４の中で綱車５０を一番回転しやすい位置にあるハンドル用の取付部５４に装着部材６０を取付けて綱車５０を回転することができる。
【００２９】
以上のように本実施の形態によると、通常運転時には、装着部材６０は巻上機本体１０の設けられたロープ外れ止め用の取付部１４に取付けられるとともに延在部６２が綱車５０のロープ溝部５１と隙間を有して配置されてロープ５５が綱車５０から脱落されることを防止する。
【００３０】
また、停電等によりエレベーターかご２０が階間に停止し、乗客がかご内に閉じ込められてしまう非常時には、ロープ５５のテンション抜けによるロープの脱落などを考える必要はないので、ロープ外れ止めとして使用した装着部材６０を巻上機本体１０から取り外し、綱車５０に設けられたハンドル用の取付部５４に取付ける。また、作業者は装着部材６０の延在部６２を把持して綱車５０を回転し、エレベーターかご２０を最寄階へ移動させ、エレベーターかご２０内に閉じこめられた乗客を救出することができる。
【００３１】
以上のように装着部材６０は、通常運転時においては、ロープの脱落防止機能を有し、非常時においては救出運転装置の機能を満たすことができる。これにより、非常時に綱車を回転するための別途の装備を設ける必要がなく、コストを削減することが可能となる。
【産業上の利用可能性】
【００３２】
本発明に係るエレベーター用の巻上機は、通常運転時にはロープが綱車から脱落することが防止するとともに別途の手巻きハンドルを用意しなくても非常時に綱車を手動で回転するエレベーターに適用することができる。
【符号の説明】
【００３３】
１０  巻上機本体、１２  回転軸、１３  側板、１４  ロープ外れ止め用の取付部、２０  エレベーターかご、３０  釣り合い錘、４０  ソラセ車、５０  綱車、５１  ロープ溝部、５２  綱車の一端面、５３  綱車の他端面、５４  ハンドル用の取付部、５５  ロープ、６０  装着部材、６１  装着部、６２  延在部、６３  穴
【図１】
2011016603.tif 000003
【図２】
2011016603.tif 000004
【図３】
2011016603.tif 000005
【図４】
2011016603.tif 000006
【図５】
2011016603.tif 000007
【図６】
2011016603.tif 000008